(57)【要約】【課題】１本の柔軟な金属線材に複数の造花を配置した花飾りに関し、製作が容易で、造花が脱落するおそれが全くなく、堅牢で装飾性の高い造花を作ることができ、ネックレス、ブローチ、髪飾り、壁掛け、置物などの種々の身飾品や部屋飾りとして利用することが可能な花飾りを得る。【解決手段】真珠や石などの珠１、２を柔軟な金属線材３で締結して複数の造花８が形成されている。個々の造花８を形成するために用いられている金属線材と、複数の造花８を連結している金属線材とが同一の１本の金属線材３である。１本の金属線材３の所望箇所に当該金属線材自体で複数の珠１、２を所定形状に締結して造花８を形成するという手順で次々と造花８を形成することにより、複数の造花８が金属線材３で連結された花飾りを得る。特殊な道具や機械を用いなくても容易に製作することができる装飾性及び耐久性に優れた造花の花飾りを得ることができる。【選択図】      図１
2005334051.tif 000002
【特許請求の範囲】
【請求項１】
１本の柔軟な金属線材(3)に、所定間隔で複数の造花(8)が配置された花飾りであって、各造花(8)は、長手方向に挿通孔(4)を有する楕円ないし長円形の花弁用珠(1)の複数個と、背後側に挿通孔(5)を有する略球形ないし正多角形形状の花芯用珠(2)と、前記金属線材の一部分とで形成され、前記複数個の花弁用珠は、その挿通孔に挿通して背後から戻した前記金属線材をその戻し側端で順次絡ませることにより放射状に配置され、前記花芯用珠は、その挿通孔に花弁用珠の戻し側端で絡ませたあとの金属線材の一方を挿通して当該金属線材を花弁用珠の背後で他方の金属線材と撚り合わせることにより、放射状に配置した花弁用珠(1)の手前側中央に位置している、造花の花飾り。
【請求項２】
花弁用珠が真珠であり、花芯用珠が石である、請求項１記載の造花の花飾り。
【請求項３】
隣接する前記造花(8)相互の間の金属線材(3)にリボン(9)を絡めた、請求項１又は２記載の花飾り。
【発明の詳細な説明】
【技術分野】
【０００１】
この発明は、１本の柔軟な金属線材に複数の造花を固定的に配置した花飾りに関するもので、各造花が真珠、石、木の実、ビーズなどの珠の複数個で形成され、ネックレス、ブローチ、髪飾り、壁掛け、置物などとして利用される花飾りに関するものである。
【背景技術】
【０００２】
リボンや複数の真珠で花弁や花芯を形作った造花は公知であり、このような造花を１本の紐に複数個取り付けた花飾りも公知である。また、リボンや真珠で１個の造花を作るに際し、柔軟な金属線材を用いてリボンの形や真珠の配置を整えることも従来から行われている。
【０００３】
また、手芸教室などにおいて、リボンやビーズ、真珠などと金属線材とを用いて作った造花を適宜束ねたり連結したりして種々の美観を備えた花飾りを作る手法が教授されている。
【特許文献１】実開平５−８５３０１号公報
【特許文献２】特開平１０−２３６０９７号公報
【発明の開示】
【発明が解決しようとする課題】
【０００４】
複数の造花を紐やワイヤで連結した従来の花飾りは、造花を１つ１つ製作した上で連結用の紐やワイヤに造花を１つ１つ取り付けてゆくという方法で製作されている。従って、製作に手数がかかり、造花と連結用のワイヤや紐との結合部分で造花が外れやすいという問題があった。そして、耐久性に優れたものは、製作に専用の道具や機械を必要として、手芸教室などで教授するのに適しておらず、また、簡単に作れるものは耐久性が十分でなく、商品価値が低いという欠点があった。
【０００５】
この発明は、手芸教室等で教授できる程度に製作が容易で、作り方が稚拙でも造花がこれを連結しているワイヤから脱落するおそれが全くなく、作り方に習熟することによって堅牢で装飾性の高い造花を作ることができ、かつ作ったものを種々の身飾品や部屋飾りなどとして利用することが可能な商品価値にも優れた花飾りを得ることを課題としている。
【課題を解決するための手段】
【０００６】
この発明の花飾りは、真珠、石、木の実、ビーズなどの珠１、２を柔軟な金属線材３で締結して花弁と花芯の形に配置することによって各造花８が形成されており、個々の造花８を形成するために用いられている金属線材と、当該形成された複数の造花を連結している金属線材とが同一の１本の金属線材３であることを特徴とするもので、１本の金属線材３の所望箇所に当該金属線材自体で複数の珠１、２を所定形状に締結して造花８を形成するという手順で次々と造花８を形成することにより、複数の造花８が金属線材３で連結された花飾りを得るというものである。
【０００７】
上記のようにして製作されたこの発明の造花の花飾りは、１本の柔軟な金属線材３に、所定間隔で複数の造花８が配置された花飾りであって、各造花８は、長手方向に挿通孔４を有する楕円ないし長円形の花弁用珠１の複数個と、背後側に挿通孔５を有する略球形ないし正多角形形状の花芯用珠２と、前記金属線材の一部分とで形成され、前記複数個の花弁用珠は、その挿通孔に挿通して背後から戻した前記金属線材をその戻し側端で順次絡ませることにより放射状に配置され、前記花芯用珠は、その挿通孔に花弁用珠の戻し側端で絡ませたあとの金属線材の一方を挿通して当該金属線材を花弁用珠の背後で他方の金属線材と撚り合わせることにより、放射状に配置した花弁用珠１の手前側中央に位置している。
【０００８】
上記構造の花弁用珠１として真珠を用いることとすれば、形状や大きさの揃ったものが得やすく、またこのとき花芯用珠２として石を用いると、真珠と色の質感や色の相違により、装飾性に優れた造花を得ることができる。
【０００９】
また、請求項３に記載のように、造花８を繋ぐ金属線材にリボン９を巻き付けたり、また逆にリボン９に造花８を繋いでいる部分の金属線材を巻き付けることにより、装飾性の高いネックレスや壁飾りを得ることができる。また、金属線材３をチェンや袋編みの紐に挿通しながら造花８を作ってゆくこともでき、これにより外見上は複数の造花がチェンや紐で連結された構造に見える花飾りを得ることができる。
【００１０】
この発明の花飾りは、金属線材３を延ばした状態でネックレスや壁飾りとして用いることができるほか、造花と造花の間の線材長さを短くしたり、線材を途中で折り曲げて隣接する造花相互を接近させた状態で束ねたりすることにより、ブローチ、髪飾り、置物などに用いることができる。
【発明の効果】
【００１１】
この発明により、造花が金属線材から脱落するおそれが全くなく、特殊な道具や機械を用いなくても容易に製作することができる装飾性及び耐久性に優れた造花の花飾りを得ることができるという効果がある。
【発明を実施するための最良の形態】
【００１２】
以下、図面を参照してこの発明の実施形態を説明する。図１は、この発明の花飾りの製造手順を示したものである。材料は淡水産の楕円ないし長円形の真珠１と、石（宝石）２と、細くて柔軟な金属線材（以下「ワイヤ」とも言う。）３である。真珠１は、長手方向にワイヤ挿通孔４を穿設したものを用い、石２もワイヤ挿通孔５を穿設したものを用いる。石２のワイヤ挿通孔５は、珠の中心から偏倚した位置に設けるのが好ましい。
【００１３】
これらの材料を用い、以下の手順で花飾りを製作する。手順に付した符号（ａ）、（ｂ）・・・は図１の（ａ）、（ｂ）・・・に対応する。
【００１４】
（ａ）１個の真珠（花弁用珠）１をワイヤ３に挿通して所望の位置に留め、（ｂ）花弁の先端となる側から引き出されているワイヤ３を花弁の背後を通るように折り戻して、（ｃ）花弁の中心側から引き出されているワイヤ３と１、２回撚り合わせる。
【００１５】
（ｄ）次に撚り合わされたワイヤ３、３ａの一方に次の１個の真珠１を花弁の中心となる側から挿通し、（ｅ）前記（ｂ）と同様に花弁の先端となる側から引き出されているワイヤ３ｂを花弁の背後となる側で折り返して、（ｆ）短い根元側のワイヤ３と１、２回撚り合わせる。
【００１６】
更に（ｄ）から（ｆ）の手順を繰り返すことにより、所望の数の花弁を作ってゆく。（ｇ）花弁６を３個以上作ってワイヤ３、３ｘを花弁の背後に引き出すようにすると、作られた花弁６は放射状に配置され、次に追加する花弁（真珠）１は、既存の花弁６の間に割り込むようにして追加されてゆく。隣接する真珠相互を繋いでいる捩じられたワイヤの長さを短くし過ぎると、所望数の花弁を作ることができなくなり、また長すぎると真珠１相互の固定が緩くなって、花の形が安定しない。この花弁中心部のワイヤの撚り合わせ長さを希望する花弁の数や真珠の形状に応じて適切な長さとすることで安定な整った形の造花８を製作することができる。
【００１７】
（ｈ）以上の手順によって所望数の、花弁（真珠）６（１）が配置されたら、（ｉ）花弁の背後側に延びている２本のワイヤ３、３ｘの一方を花弁の間から前方へ引き出して花芯となる石２を挿通し、（ｊ）当該ワイヤ３ｘを略反対側の花弁の間から再び花弁の背後側へと引き戻すことにより、放射状に配置された花弁６の中心に花芯７となる石２が配置される。
【００１８】
そこで（ｋ）下方に引き出した２本のワイヤ３、３ｘを１、２回捩じって左右に引き出し、（ｌ）その１本に次の造花の花弁となる真珠１を花弁の中心となる側から挿入して、前記（ａ）〜（ｋ）の手順を繰り返すことにより、（ｍ）１本のワイヤ３に真珠の花弁６と石の花芯７とで形成された造花８が所望数連結されたこの発明の花飾りが得られる。
【００１９】
以上の実施例では、真珠１や石２に挿通したワイヤ相互を捩じって絡ませているが、単に引っ掛けて絡ませるようにしてもよい。どのように絡ませるかは、使用するワイヤ３の柔軟性や太さを考慮して適宜選択すればよい。
【００２０】
以上のようにして製作した花飾りは、１本のワイヤ３に複数の造花８が連結された構造となるので、そのワイヤの両端を連結し、造花８を避けるようにしてワイヤ３にリボン９を絡めることにより、図２に示すようなリング状の花飾りを得ることができる。この発明の花飾りは、隣接する造花８の間隔を自由に設定することができ、かつ造花８を繋いでいるワイヤが柔軟に折り曲げることが可能な金属線材であるので、ワイヤを自由な形に折り曲げて複数の造花８を空間内の自由な位置に設定することも可能である。隣接する造花相互の間のワイヤを短くして、造花が密集した状態にすれば、ブローチや髪飾りとなり、またワイヤを隣接する造花相互の間で折り曲げてリボンなどで束ねれば、花束のような外観の花飾りを得ることができる。
【図面の簡単な説明】
【００２１】
【図１】この発明の花飾りの製造手順の一例を示す図
【図２】ワイヤのリボンを絡めてリング状にした花飾りの一例を示す斜視図
【符号の説明】
【００２２】
１  真珠
２  石
３  金属線材
４  挿通孔
５  挿通孔
８  造花
９  リボン
【図１】
2005334051.tif 000003
【図２】
2005334051.tif 000004